(57)【特許請求の範囲】
【請求項１】
溝形成部（２５，２７）をもち、この溝形成部（２５，２７）を、圃場（４３）の地中に部分的に埋没させつつ、前進させ、前記溝形成部（２５，２７）の横断面輪郭に対応する溝（４０）を形成するようになっている圃場用溝切り刃（２４）において、張出し部（２６）が、前記溝形成部（２５，２７）による前記溝（４０）の形成に伴い、前記溝（４０）の両側の地表部に排出されて来る土を左右方向外方へ拡散しつつ、上方から押圧して、盛上がり部（４５）の形成を抑制するように、前記溝形成部（２５，２７）の上端から左右方向外方へ張出して、かつ前記溝形成部（２５，２７）との一体成形により形成されており、前記張出し部（２６）の先端から外方へ張出す土拡散防止部（２８）が、前記張出し部（２６）との一体成形により形成され、拡散してきた土が土拡散防止部（２８）の外側に体積するのを防止すべく、前記張出し部（２６）の面に対して外方へ向かって下方へ傾斜していることを特徴とする圃場用溝切り刃。
【請求項２】
前記張出し部（２６）は、張出し方向先端側が張出し方向基端側より低くなる傾斜角で広がっていることを特徴とする請求項１記載の圃場用溝切り刃。
【請求項３】
前記溝形成部（２５，２７）は、前記溝（４０）の左右側面の形成用の側面形成部分（２５）と、前記溝（４０）の底面の形成用の底面形成部分（２７）とを備え、前記底面形成部分（２７）は、前記溝（４０）の底面輪郭を、左右方向中心部において最深となる谷形とするように、傾斜していることを特徴とする請求項１又は２に記載の圃場用溝切り刃。
【発明の詳細な説明】
【０００１】
【発明の属する技術分野】
この発明は、水田等の圃場において溝切りを行う自走型溝切り機に係り、詳しくは自走型溝切り機の溝切り刃に関するものである。
【０００２】
【従来の技術】
水田では、排水を適切化するために、土表面に溝を形成する。図７は水田43において従来の培土板により作った溝40の横断面形状を示している。溝40は、土表面44へ開口し、左右の側面41と、左右の側面41の下端間を広がっている底面42とを有している。溝40の形成に伴い、溝40の形成前に存在していた土が、溝40の上端近傍の土表面44の部位へ排出され、ここに盛上がり部45が形成されることになる。
【０００３】
盛上がり部45は、土表面44から溝40への排水の妨げる原因になるとともに、コンバイン使用時には、コンバインの刃の損傷原因になり、盛上がり部45を除去することが好ましい。
【０００４】
このため、実開昭５５−１４７１０７号公報の自走型溝切り機では、溝切り刃本体の側面に小型の翼板を取り付け、この翼板により土表面を整地するようにしている。
【０００５】
【発明が解決しようとする課題】
実開昭５５−１４７１０７号公報の自走型溝切り機の溝切り刃の問題点は次のとおりである。
（ａ）翼板が溝切り刃本体の側面に溶接等により固定されるので、製造が煩雑となるとともに、翼板が外れ易い。
（ｂ）前後方向に関して翼板の寸法は溝切り刃本体の寸法に比して小さく、浅い溝を作るときには、翼板の下端が土表面に届かず、非常に深い溝を作るときは、翼板が土中に埋まってしまい、用をなさなくなる。
【０００６】
この発明の目的は、上述の問題点を克服する圃場用溝切り刃を提供することである。
【０００７】
なお、実公平３−２７３６１号公報は、溝切り刃本体の上端にフランジが形成される圃場用溝切り刃を開示する。しかし、このフランジは、極めて小さい張出し寸法であり、溝切り刃の前進時に溝の形成に伴って土中から排出されて来る土を上から押圧して、盛上がり部の形成を抑制する役目は実質、有していない。
【０００８】
【課題を解決するための手段】
この発明の圃場用溝切り刃(24)によれば、溝形成部(25,27)をもち、この溝形成部(25,27)を、圃場(43)の地中に部分的に埋没させつつ、前進させ、溝形成部(25,27)の横断面輪郭に対応する溝(40)を形成するようになっている。その圃場用溝切り刃(24)において、張出し部(26)が、溝形成部(25,27)による溝(40)の形成に伴い、溝(40)の両側の地表部に排出されて来る土を左右方向外方へ拡散しつつ、上方から押圧して、盛上がり部(45)の形成を抑制するように、溝形成部(25,27)の上端から左右方向外方へ張出して、かつ溝形成部(25,27)との一体成形により形成されている。
【０００９】
圃場用溝切り刃(24)は、形状及び構造が同一であるので、培土刃とも呼ばれている。圃場とは例えば水田である。溝切り刃(24)は、例えば一輪型自走車(10)に搭載され、その一輪型自走車(10)の自走に伴い、土中埋没部分では土中内を前進し、土中に溝(40)を形成する。作業者は、溝切り刃(24)が土中の所定深さに維持されるように、一輪型自走車(10)のハンドル(16)を上から押圧するので、張出し部(26)は、溝切り刃(24)の前進中、絶えず土表面(44)を押圧する力を付与される。
【００１０】
溝切り刃(24)が土中を前進して、溝(40)が土中に形成されるのに伴い、土が土表面(44)へ排出され、溝(40)の近傍の土表面(44)において盛上がり部(45)を形成しようとする。張出し部(26)は、溝(40)より土表面(44)へ排出されて来る土を適当な力で押圧するので、盛上がり部(45)の形成が抑制される。
【００１１】
張出し部(26)は、前後方向へ溝形成部(25,27)の前端から後端までの全範囲にわたって延びるので、作ろうとする溝(40)の深さに関係なく、土表面(44)に接触して、土表面(44)を押圧し、土表面(44)における盛上がり部(45)の生成を抑制できる。また、張出し部(26)は溝形成部(25,27)と一体成形により形成されているので、強度の増大及び製造の容易化を図ることができる。
【００１２】
この発明の圃場用溝切り刃(24)によれば、張出し部(26)は、張出し方向先端側が張出し方向基端側より低くなる傾斜角で広がっている。
【００１３】
溝(40)の形成作業中の溝切り刃(24)の姿勢角に対して溝切り刃(24)の垂直横断面を取り、その垂直横断面において左右水平方向に対する張出し部(26)の下向き傾斜角をθａと定義すると、好ましくは、例えば０°＜θａ≦１０°である。
【００１４】
溝(40)からの排出される土は、溝(40)に近い所ほど高く上積みされ易く、溝(40)の幅方向へ上積み量に偏りが生じる。張出し部(26)の下向き傾斜角θａにより、張出し部(26)は、溝(40)より土表面(44)へ排出されて来た土を溝(40)の幅方向外方へ適当に拡散させつつ、この土を上方より押圧するので、土の盛上がり量は水平方向へ均等化され、盛上がり部(45)のピークの高さを低下させることができる。
【００１５】
この発明の圃場用溝切り刃(24)によれば、張出し部(26)の先端から外方へ張出す土拡散防止部(28)が、張出し部(26)との一体成形により形成され、張出し部(26)の面に対して外方へ向かって下方へ傾斜している。
【００１６】
張出し部(26)の面に対する土拡散防止部(28)の面の下向き傾斜角θｂは、例えば４０°≦θｂ≦５０°である。
【００１７】
張出し部(26)は、溝(40)から土表面(44)へ排出されて来る土を溝(40)の幅方向外方へ拡散させつつ、土表面(44)の盛り上がりを平滑化させる。張出し部(26)だけであると、張出し部(26)により溝(40)の幅方向外方へ拡散された土が、張出し部(26)の先端を少し越えた位置に集中的に堆積し、そこに新たな盛上がり部(45)を形成し易い。土拡散防止部(28)が、張出し部(26)の先端側に形成され、張出し部(26)の面よりさらに急角度で外方へ向かって傾斜していることにより、張出し部(26)から溝(40)の幅方向へ拡散されてくる土は、それ以上の拡散を土拡散防止部(28)により阻まれ、張出し部(26)及び土拡散防止部(28)の下側に一様に拡散されつつ、留められ、張出し部(26)及び土拡散防止部(28)により上から押圧されることになるので、張出し部(26)により拡散された土により土拡散防止部(28)の先端の少し外側にあらたな盛上がり部(45)が形成されるのを防止できる。
【００１８】
この発明の圃場用溝切り刃(24)によれば、溝形成部(25,27)は、溝(40)の左右側面の形成用の側面形成部分(25)と、溝(40)の底面の形成用の底面形成部分(27)とを備え、底面形成部分(27)は、溝(40)の底面輪郭を、左右方向中心部において最深となる谷形とするように、傾斜している。
【００１９】
溝(40)の底面中央は、土壌の沈殿等により沈殿物が堆積し、深さが速やかに浅くなる傾向が強い。溝(40)により溝切り刃(24)の底面輪郭が谷形に形成されることにより、溝(40)の底面中央を深くして、溝(40)の深さ低減に対処できる。
【００２０】
【発明の実施の形態】
以下、発明の実施の形態について図面を参照して説明する。
図１は自走型溝切り機10の全体外略図である。伝動軸用パイプ11は前後方向へ延び、エンジン12及び減速機13は、それぞれ伝動軸用パイプ11の後端部及び前端部に取り付けられている。エンジン12の回転動力は伝動軸用パイプ11内の伝動軸（図示せず）を介して減速機13へ伝達される。ハンドル16は、伝動軸用パイプ11の中間部に基端部を固定され、後方へ向かってエンジン12の上方へ張出している。スロットルレバー17は、ハンドル16の右側部位に取り付けられ、エンジン12のスロットル開度、すなわちエンジン12の出力を調整する。車輪18は、減速機13の出力軸に回転方向へ一体に結合し、減速機13を介して減速されて伝達されて来るエンジン12からの回転動力により回転駆動される。護葉板19は、車輪18の前側上半部の前方及び側方を覆うように、減速機13のケースに固定されている。ステー21は、伝動軸用パイプ11へのスロットルレバー17の基端部の結合位置付近において、伝動軸用パイプ11に固定され、斜め後方へ延び出している。培土板24は、ステー21に所定角度で固定される。
【００２１】
図２は水田43における自走型溝切り機10の作業状態の側面図である。培土板24は、前端側が後端側より高くなるような傾斜角で、センタープレート31を介してステー21の下端部へ所定角度で固定され、前部分は土表面44より露出させつつ、後ろ部分は土表面44より下の地中に埋没されている。作業者は、自走型溝切り機10の前進中も、ハンドル16の突出端部を把持しつつ、ハンドル16を下方へ押し下げ、この押し下げ力が土表面44への培土板24の押付力として作用し、これにより、培土板24の後端部の底板部分27を所定深さに保持される。
【００２２】
図３、図４、及び図５は培土板24をそれぞれ上方、右側面、及び後端側から見た図である。培土板24は、任意の横断面において左右対称な構造となっており、溝40（図７）の側面41を形成するための左右の側板部分25、側板部分25の上端より左右方向外方へ張出す左右の張出し板部分26、培土板24の後端部に配設され溝40の底面42を形成するための左右の底板部分27、及び張出し板部分26の先端縁に基端側を結合し左右方向外方へさらに少し突出している突出縁部分28を有している。側板部分25、張出し板部分26、底板部分27、及び突出縁部分28は、一体成形の１枚の平金属板（例：アルミニウム、ステンレス等の金属）から成り、培土板24の本体を構成する。底板部分27は、培土板24の後端部のみ設けられ、培土板24の前後方向へ底板部分27の存在しない位置では、左右の側板部分25は、下端部を相互に接合させて、鉛直方向へ垂下する平板条の接合部33を形成する。図４から分かるように、培土板24の上面、すなわち張出し板部分26からの接合部33までの距離は、培土板24の前後方向へ後方程、増大している。連結部分30は、培土板24の前端部において左右の張出し板部分26を結合し、その前後方向位置における左右の張出し板部分26の左右方向間隔を保持している。センタープレート31は、連結部分30の左右方向中心部に下端部を固定され、上方へ張出し、ステー21（図２）への培土板24の結合時には、ステー21の下端部に当てられ、ボルト（図示せず）によりステー21へ分離自在に及び角度を選択自在に固定される。間隙29は左右の底板部分27の間に形成され、ターンバックル32は、培土板24の前後方向へ間隙29と重複する位置に配設され、左右の張出し板部分26を相互に連結し、作業者により長さ調整自在とされ、長さに応じて間隙29の寸法、すなわち前後方向に関してターンバックル32の位置における左右の張出し板部分26の間隔を調整する。
【００２３】
図６は前後方向へ接合部33の位置における培土板24の横断面図である。図６において各記号は培土板24の横断面において次のように定義されている。
Ｃ：張出し板部分26の寸法。
Ｅ：側板部分25の寸法。
Ｆ：突出縁部分28の寸法。
Ｇ：底板部分27の寸法。
θａ：左右水平線（左右水平線とは、培土板24の横断面、すなわち図６の横断面の左右対称線に直角な直線と定義する。）に対する張出し板部分26の下向き角度。
θｂ：張出し板部分26に対する突出縁部分28の下向き角度。
θｃ：左右水平線に対する底板部分27の下向き角度。
【００２４】
各記号の数値の好ましい代表値又は範囲の例を示すと、次のとおりである。
Ｃ＝５４ｍｍ、Ｅ＝１３８ｍｍ、Ｆ＝６ｍｍ、０°＜θａ≦１０°（好ましくはθａ＝５°）、４０°≦θｂ≦５０°（好ましくはθｂ＝４５°）、０°＜θｃ≦１０°（好ましくはθｃ＝５°）である。
【００２５】
培土板24の作用について述べる。図２のように、培土板24は、張出し板部分26の前端が後端より高くなるような所定の傾斜角度でセンタープレート31においてステー21の後部の下端部に取り付けられる。作業者は、自走型溝切り機10を前進させつつ、ハンドル16を下方へ所定の操作力で押し付け、その後は、培土板24の底板部分27が所定深さに到達させ、その深さに維持しつつ、自走型溝切り機10を前進させる。地中内の培土板24の前進に伴い、培土板24の前方の土は、左右に掻き分けられ、土表面44上へ排出されるとともに、培土板24の後方には溝40が形成される。溝40は、底板部分27のθｃの傾斜により、左右方向中央部が最深となる谷形の底面輪郭となる。一方、張出し板部分26は、溝40の上端近傍の土表面44上へ押し上げられた土をθａの傾斜により左右外方へ円滑に拡散し、土の盛り上がり量を左右方向へ均等化する。突出縁部分28は、張出し板部分26により左右外方へ拡散されてきた土をθｂの傾斜により受け止め、これにより、突出縁部分28の先端を越えて、拡散し、突出縁部分28の先端に堆積するのを防止する。こうして、土表面44上に排出されて来た土は、張出し板部分26及び突出縁部分28により押圧され、盛上がり部45（図７）の形成を防止される。
【図面の簡単な説明】
【図１】自走型溝切り機の全体外略図である。
【図２】水田における自走型溝切り機の作業状態の側面図である。
【図３】培土板を上方から見た図である。
【図４】培土板を右側面から見た図である。
【図５】培土板を後端側から見た図である。
【図６】前後方向へ接合部の位置における培土板の横断面図である。
【図７】水田において従来の培土板により作った溝の横断面形状を示す図である。
【符号の説明】
１０    自走型溝切り機（一輪型自走車）
１６    ハンドル
２４    培土板（圃場用溝、溝切り刃）
２５    側板部分（溝形成部、側面形成部分）
２６    張出し板部分（張出し部）
２７    底板部分（溝形成部、底面形成部分）
２８    突出縁部分（土拡散防止部）
４０    溝
４３    水田（圃場）
４４    土表面
４５    盛上がり部
【図１】
0003775957.tif 000002
【図２】
0003775957.tif 000003
【図３】
0003775957.tif 000004
【図４】
0003775957.tif 000005
【図５】
0003775957.tif 000006
【図６】
0003775957.tif 000007
【図７】
0003775957.tif 000008